(57)【要約】      （修正有）【課題】外気と遮断し保管することで、想い出として残しておきたい毛髪又はペットの毛を、その自然な風合いのまま鮮明に見ることができ、且つ日常生活のなかでいつでも見られるようにしたメモリアル収納製品を提供する。【解決手段】透明ガラス製基体の一面２１側からその基体内へ向けて底面部分２５ａが平らな凹部２５を形成して、該凹部２５に毛髪又はペットの毛９ａが収容されるようにした本体主部２を形成する。さらに、平板片状にして、該本体主部２の前記一面２１に当接する接合面３１を形成した透明ガラス製蓋部３と、該接合面３１と前記本体主部２の一面２１とを対向させて、該蓋部３が接着剤を介して該本体主部２に接着固定する。これにより、前記凹部２５の上面開口２５０に蓋がされて形成される気密空間を形成し、該気密空間に前記毛髪又はペットの毛９ａを空気遮断された状態で収容する。【選択図】図１
0003173223.tif 000002
【実用新案登録請求の範囲】
【請求項１】
透明ガラス製基体の一面(21)側からその基体内へ向けて底面部分(25a)が平らな凹部(25)を形成して、該凹部(25)に毛髪(9b)又はペットの毛(9a)が収容されるようにした本体主部(2)と、平板片状にして、該本体主部(2)の前記一面(21)に当接する接合面(31)を形成した透明ガラス製蓋部(3)と、該接合面(31)と前記本体主部(2)の一面(21)とを対向させて、該蓋部(3)が接着剤(5)を介して該本体主部(2)に接着固定することにより、前記凹部(25)の上面開口(250)に蓋がされて形成される気密空間(S)と、を具備し、該気密空間(S)に前記毛髪(9b)又はペットの毛(9a)が空気遮断された状態で収容されることを特徴とするメモリアル収納製品。
【請求項２】
前記凹部(25)の底面部分(25a)から本体主部表面(2a)に向かう側壁(25f)の途中で、外方に広がる拡径段差面(20a)を形成して、該凹部(25)の外径よりも本体主部表面(2a)側の外径を大きくくり抜いた拡径部(20)がさらに形成され、該段差面(20a)が本体主部(2)の前記一面(21)となって、該一面(21)と前記接合面(31)とを対向させ、蓋部(3)が接着剤(5)を介して該本体主部(2)に接着固定することにより、該拡径部(20)周りの本体主部表面(2a)と該蓋部(3)の表面(3a)が面一になるようにした請求項１記載のメモリアル収納製品。
【請求項３】
ベース盤部(4)上に板状の前記本体主部(2)が起立一体化し、且つ該本体主部裏面(2b)に写真入れ用保持枠(6b)が固着されて、写真立て付き飾り置物になる請求項１又は２に記載のメモリアル収納製品。
【請求項４】
前記本体主部(2)の外面に、サンドブラスト加工により、前記毛髪(9b)又はペットの毛(9a)に係る当人の名前の刻印(82)と、当人の生年月日又は命日の刻印(81)とが設けられる請求項１乃至３のいずれか１項に記載のメモリアル収納製品。
【考案の詳細な説明】
【技術分野】
【０００１】
本考案は想い出に残る毛髪又はペットの毛を収容したメモリアル収納製品に関する。
【背景技術】
【０００２】
赤ちゃんや故人、またペットなどの在りし日の想い出の品として、その人の毛髪又はペットの毛を永く保存しておきたい場合がある。例えば、誕生した我が子や孫の、生まれた頃の歓びを形として残したい場合がある。そんななか、赤ちゃんの毛髪(産毛)やへその緒等を誕生記念品として保管する発明(特開2008-113941号公報や実用新案登録第3036362号公報等)が開示されている。しかし、これらは収納箱に保管されているため、想い出に浸る場合は、その都度、収納箱の蓋を開けて目当ての物を取り出さねばならなかった。見終わった後は、また収納箱にしまい込む片付け作業が待っていた。
こうしたことから、身飾品に胎毛等を封入して身に着け、その者の存在を身近に感じることのできる記念品の発明が提案されている（例えば特許文献１）。
【先行技術文献】
【特許文献】
【０００３】
【特許文献１】実用新案登録第３１３６６５５号公報
【考案の開示】
【考案が解決しようとする課題】
【０００４】
しかるに、特許文献１の考案は、透明体の中心線に沿った所定部位に胎毛等の毛髪を封入部に封入して、外部より透視できるようにした記念品であり、毛髪が時に見えづらくなる場合があった。円柱形の貫通孔により形成される封入部に毛髪が封入されると、円柱側面の曲面形成によって光反射の関係から中の毛髪が見え難くなる虞があった。また外形も卵形,球形等になることから表面側も曲面になり、光反射によっては、封入部に封入された毛髪が一層見え難くなる虞があった。さらに、毛髪は、封入部内へ封入用合成樹脂を注入後、硬化させこれに閉じこめられるので、動きに固まった感じがあり、毛髪がもつ自然な風合い,質感が薄れる傾向があった。
【０００５】
本考案は上記問題点を解決するもので、想い出として残しておきたい毛髪又はペットの毛を、本来あった姿のままで収納し、その自然な風合いのまま鮮明に見ることができ、且つ日常生活のなかでいつでも見られるようにしたメモリアル収納製品を提供することを目的とする。
【課題を解決するための手段】
【０００６】
上記目的を達成すべく、請求項１に記載の考案の要旨は、透明ガラス製基体の一面(21)側からその基体内へ向けて底面部分(25a)が平らな凹部(25)を形成して、該凹部(25)に毛髪(9b)又はペットの毛(9a)が収容されるようにした本体主部(2)と、平板片状にして、該本体主部(2)の前記一面(21)に当接する接合面(31)を形成した透明ガラス製蓋部(3)と、該接合面(31)と前記本体主部(2)の一面(21)とを対向させて、該蓋部(3)が接着剤(5)を介して該本体主部(2)に接着固定することにより、前記凹部(25)の上面開口(250)に蓋がされて形成される気密空間(S)と、を具備し、該気密空間(S)に前記毛髪(9b)又はペットの毛(9a)が空気遮断された状態で収容されることを特徴とするメモリアル収納製品にある。ここで、「毛髪」には赤ちゃんの体毛も含む。
請求項２の考案たるメモリアル収納製品は、請求項１で、凹部(25)の底面部分(25a)から本体主部表面(2a)に向かう側壁(25f)の途中で、外方に広がる拡径段差面(20a)を形成して、該凹部(25)の外径よりも本体主部表面(2a)側の外径を大きくくり抜いた拡径部(20)がさらに形成され、該段差面(20a)が本体主部(2)の前記一面(21)となって、該一面(21)と前記接合面(31)とを対向させ、蓋部(3)が接着剤(5)を介して該本体主部(2)に接着固定することにより、該拡径部(20)周りの本体主部表面(2a)と該蓋部(3)の表面(3a)が面一になるようにしたことを特徴とする。請求項３の考案たるメモリアル収納製品は、請求項１又は２で、ベース盤部(4)上に板状の前記本体主部(2)が起立一体化し、且つ該本体主部裏面(2b)に写真入れ用保持枠(6b)が固着されて、写真立て付き飾り置物になることを特徴とする。請求項４の考案たるメモリアル収納製品は、請求項１〜３で、本体主部(2)の外面に、サンドブラスト加工により、前記毛髪(9b)又はペットの毛(9a)に係る当人の名前の刻印(82)と、当人の生年月日又は命日の刻印(81)とが設けられることを特徴とする。ここで、「毛髪又はペットの毛に係る当人」の当人とは、毛髪の当人だけでなく、ペットの毛のその提供ペットも該当する。
【考案の効果】
【０００７】
本考案のメモリアル収納製品は、その収納製品内に在る毛髪又はペットの毛を外からはっきりと見ることができ、且つ当人の一部となる本物の毛髪又はペットの毛を自然な姿,形のまま見ることができ、しかも日常生活のなかでいつでも見られるようにできるなど優れた効果を発揮する。
【０００８】
(作用)
請求項１の考案のごとく、透明ガラス製基体の一面(21)側からその基体内へ向けて凹部(25)を形成した本体主部(2)と、平板片状にして、本体主部(2)の前記一面(21)に当接する接合面(31)を形成した透明ガラス製蓋部(3)と、蓋部(3)が本体主部(2)に接着固定することにより、凹部(25)の上面開口(250)に蓋がされて形成される気密空間(S)と、を具備して、該気密空間(S)に毛髪(9b)又はペットの毛(9a)が空気遮断された状態で収容されると、平板片状の透明ガラス製蓋部を通して毛髪(9b)又はペットの毛(9a)を見ることができるので、通常の窓から外を眺めるのと同様、中の毛髪(9b)又はペットの毛(9a)をはっきりと見ることができる。気密空間(S)内に収めた毛髪(9b)又はペットの毛(9a)を外から綺麗にはっきりと見ることができるので、飾り物になり、メモリアル収納製品は飾り置物やコップ等に用いることによって、日常生活のなかでいつでも見られる機会を確保できる。収納箱のように片付けを要しない。透明ガラス製基体の一面(21)側からその基体内へ向けて底面部分(25a)が平らな凹部(25)を形成する本体主部(2)とすると、気密空間(S)内に収めた毛髪(9b)又はペットの毛(9a)を、一面側だけでなく、その角度を広げても容易に見ることができるようになる。また、気密空間(S)に前記毛髪(9b)又はペットの毛(9a)が空気遮断された状態で収容されるので、想い出として残しておきたい毛髪又はペットの毛を、在りし日の姿のままで収納し、その自然な風合いのまま眺めることができる。そして、気密空間(S)に親,兄弟,赤ちゃん等の毛髪(9b)が空気遮断された状態で収容されるので、何かあったときにＤＮＡ鑑定で親子関係等の立証に役立つ。
請求項２の考案のごとく、蓋部(3)が接着剤(5)を介して本体主部(2)に接着固定することにより、拡径部(20)周りの本体主部表面(2a)と蓋部(3)の表面(3a)が面一になると、外観の見栄えが一層向上する。請求項３の考案のごとく、ベース盤部(4)上に板状の本体主部(2)が起立一体化し、且つ本体主部裏面(2b)に写真入れ用保持枠(6b)が固着されて、写真立て付き飾り置物になると、毛髪(9b)又はペットの毛(9a)の当人の写真と一緒に飾ることになるので、当人に寄せる思い入れが強まるメモリアル収納製品となる。その商品価値が一段と高まる。請求項４の考案のごとく、本体主部(2)の外面に、サンドブラスト加工により、毛髪(9b)又はペットの毛(9a)に係る当人の名前の刻印(82)と、当人の生年月日又は命日の刻印(81)とが設けられると、毛髪(9b)又はペットの毛(9a)との密接な関連事実が明記されるので、忘れ得ぬ想い入れの品となる。
【図面の簡単な説明】
【０００９】
【図１】実施形態１のメモリアル収納製品の一形態で、その分解斜視図である。
【図２】図１の説明縦断面図である。
【図３】図２の本体主部にペットの毛を収容して蓋部で蓋をし、且つ本体主部に時計を取着したメモリアル収納製品の説明断面図である。
【図４】図３の円内拡大図である。
【図５】図３のメモリアル収納製品の説明画像図である。
【図６】実施形態２のメモリアル収納製品で、その斜視図である。
【図７】図６のVII-VII線矢視図である。
【図８】図６の背面図である。
【図９】図７の円内拡大図に代わる別態様図である。
【図１０】図６に変わる他態様のメモリアル収納製品の斜視図である。
【図１１】実施形態３のメモリアル収納製品で、（イ）が本体主部の斜視図、（ロ）が（イ）の裏面図、（ハ）が凹部の上面開口に蓋部で蓋をして気密空間を形成する説明分解正面図である。
【考案を実施するための形態】
【００１０】
以下、本考案に係るメモリアル収納製品について詳述する。
（１）実施形態１
図１〜図５は本考案のメモリアル収納製品の一形態で、図１はその分解斜視図、図２は図１の説明断面図、図３は図２の本体主部にペットの毛を収容して蓋部で蓋をし、且つ本体主部に時計を取着したメモリアル収納製品の説明断面図、図４は図３の円内拡大図、図５は図３のメモリアル収納製品の説明画像図を示す。尚、各図で刻印は簡略図示する。
【００１１】
メモリアル収納製品１は、本体主部２と蓋部３と時計７と刻印８とを備える(図１)。
本体主部２は、透明ガラス製基体の一面２１側からその基体内へ向けて掘り下げ、底面部分２５ａが平らな凹部２５を形成し、該凹部２５に毛髪９ｂ又はペットの毛９ａが収容されるようにした塊状体である。図１のような多面体のブロック体に係る表面２ａ側から円形穴の凹部２５をくり抜き形成した透明ガラス製本体主部２とする。透明無機ガラス製ブロック体を用いているので、無機ガラス特有のずっしりとした重量感,質感がある。無機ガラスは透明性に優れ、且つ耐摩耗性,耐汚染性,熱安定性,空気を通さない優れた特性を有する。ここでは、凹部２５の底面部分２５ａから本体主部表面２ａに向かう側壁２５ｆの途中で、外方に広がる拡径段差面２０ａを形成して、該凹部２５の外径よりも本体主部表面２ａ側の外径を大きくくり抜いた拡径部２０がさらに形成される。拡径部２０の形成に伴う段差面２０ａが本体主部２の前記一面２１となり、該一面２１に後述の蓋部３が接着固定される。実際は、大きな塊状のガラス製ブロック体を使用し、その表面２ａ側から円形拡径部２０をくり抜き形成し、該拡径部２０の円底面の中央部をさらに掘り下げ、底面部分２５ａが平らな円形穴の凹部２５をくり抜き形成する。また、本体主部２の表面２ａ側で、拡径部２０よりも上方寄りに時計７を埋め込み一体化させるための窪み２９をくり抜き形成する。拡径部２０,凹部２５,窪み２９のくり抜き形成は、労力,時間を要する。しかし、ガラス板等による張り合わせ部がなく、労力,時間に代え難いそれ以上の付加価値を生む。透明無機ガラス製の本体主部２がより高級感に溢れ、気品あるメモリアル収納製品１を創り出す。
【００１２】
さらに、本実施形態は本体主部２の外面(ここでは本体主部２の下方側表面２ａ)に、サンドブラスト加工により、前記毛髪９ｂ又はペットの毛９ａに係る当人の名前と当人の生年月日(又は命日)の刻印８が設けられる。当人の名前の刻印８２と当人の生年月日(又は命日)の刻印８が刻まれることによって、大切な日が忘れ得ぬものとなる。そして、例えば赤ちゃんの産毛が毛髪９ｂとして収容された場合は日々の成長を再確認して感動し、また亡くなったペットの毛９ａである場合は想いをはせることができる。故人の毛髪９ｂの場合は生前をより身近に想い偲ぶことができる。刻印８は本体主部２の表面２ａに設けたが、裏面２ｂ,側面２ｃ,頂面２ｅや底面２ｄに設けてもよい。
尚、本考案でいう透明ガラスは、凹部２５に納められる毛髪９ｂ又はペットの毛９ａが本体主部２や蓋部３を介して透視できるガラスであればよく、カラー色の色付きガラス等であっても構わない。符号２０ｍは拡径部２０の面取りを示すが、図１〜図３はその図示を省く。
【００１３】
蓋部３は、平板片状にして、該本体主部２の前記一面２１に当接する接合面３１を形成した透明ガラス製部材である(図１,図２）。本実施形態の蓋部３は図示ごとくの円形盤で、その円径が拡径部２０の円径に等しく、且つ蓋部３の厚みを拡径部２０のくり抜き高さに等しくする。段差面２０ａが本体主部２の前記一面２１となって、接合面３１と該一面２１とを対向させ、蓋部３が接着剤５を介して本体主部２に接着固定することにより、拡径部２０周りの本体主部表面２ａと蓋部３の表面３ａが面一になる蓋部３としている。符号３７ｍは蓋部３の面取りを示すが、図１〜図３はその図示を省く。
接合面３１と一面２１(段差面)とを対向させ、蓋部３が本体主部２に接着固定すると、気密空間Ｓが形成される。
【００１４】
気密空間Ｓは、接合面３１と本体主部２の一面２１とを対向させて、蓋部３が接着剤５を介して本体主部２に接着固定することにより、凹部２５の上面開口２５０に蓋がされてできる密封空間である。蓋部３が本体主部２に接着固定するに先立ち、凹部２５に記念又は想い出となる毛髪９ｂ又はペットの毛９ａを収納することにより、気密空間Ｓに毛髪９ｂ又はペットの毛９ａが空気遮断された状態で収容される構成にある。
尚、本実施形態は、気密空間Ｓにペットの毛９ａ(ここでは鳥の羽毛)が収容されたメモリアル収納製品１とする。本メモリアル収納製品１は、羽毛のような細かく見づらいペットの毛９ａであっても、図５のごとく、斜めの角度からも鮮やかな姿,形で視認できる。
【００１５】
時計７は図１ごとくの円盤状で、本体７１が窪み２９に嵌合する大きさになっている。本体７１を窪み２９に埋設し、文字盤側の外鍔７３を該窪み周りの本体主部表面２ａに当接固定させることで(図３)、本体主部２に時計７が一体化した時計７付きメモリアル収納製品１になっている。
【００１６】
（２）実施形態２
本実施形態は図６〜図１０ごとくのメモリアル収納製品１である。図６がその斜視図、図７が図６のVII-VII線矢視図、図８は図６の裏面図、図９は図７の円内拡大図に代わる別態様図、図１０は図６に代わるメモリアル収納製品の斜視図を示す。ここでのメモリアル収納製品１は、ベース盤部４上に板状の前記本体主部２を起立一体化し、且つ本体主部裏面２ｂに写真入れ用保持枠６ｂを固着して、写真立て付き飾り置物とする。尚、図６では、写真入れ６は本体主部２の裏面２ｂ側に在るが、本体主部２が透明ガラス製で透視できるので、該写真入れ６を実線図示する。
【００１７】
具体的には、矩形の透明ガラス板からなる本体主部２が立設するよう、その基端部２３に前後に張出す別体のベース盤部４が一体的に取着される。ベース盤部４は図６のごとく四角柱部材の一側面から側面視凹形の溝穴４０を形成し、該溝穴に本体主部２の基端部２３を嵌入することにより、該ベース盤部４上に本体主部２が起立一体化する。本実施形態のベース盤部４はずっしりとした安定感にある大きさにし、且つ木製で格調高いメモリアル収納製品１になっている。
透明ガラス製基体からなる板状本体主部２の上方寄りに、表面２ａ(一面２１)側から裏面２ｂ(基体内)へ向けて底面部分２５ａが平らな凹部２５を穿設して、該凹部２５に毛髪９ｂ(又はペットの毛９ａ)を収容できる本体主部２とする。凹部２５は実施形態１と同様、正面視円形の凹部２５である。そして、平板片状にして、該凹部２５よりも一回り大きな円形板の透明ガラス製蓋部３が用意される。該蓋部３の外周寄り外形部分を接合面３１として、該接合面３１と凹部２５周りの本体主部表面２ａとを対向させて、接着剤５を介して本体主部２に蓋部３を接着固定することによって、凹部２５の上面開口２５０に蓋をして気密空間Ｓが形成される。該気密空間Ｓは毛髪９ｂ又はペットの毛９ａを空気遮断した状態で収容する密封空間となる。
【００１８】
さらに、本実施形態のメモリアル収納製品１は、前述のごとく写真立て付き飾り置物になっている。板状本体主部２の下方寄りには、その裏面２ｂに写真入れ用保持枠６ｂが固着される。詳しくは、保持枠６ｂの固着に先立ち、板状本体主部２の下方寄り裏面に図７,図８のごとく写真立ての飾りフレームに似せた略四角枠の囲い塗膜６ａが固着される。囲い塗膜６ａは、写真立ての飾りフレームに似合う有彩色にして、図８のごとく一定幅で四角枠６０を形成するカラー囲い塗膜６ａになっている。符号６１は囲い塗膜６ａで作られた写真が覗く開口を示す。カラー囲い塗膜６ａに代えて、これと同形状のカラーフィルムを本体主部裏面２ｂに貼着することもできる。そして、本体主部裏面２ｂ側で、該囲い塗膜６ａ上に写真入れ用保持枠６ｂが固着される。矩形主板部６５の周辺三箇所沿いに突出バー６７を設けて張り出し、該突出バー６７の部分を囲い塗膜６ａ上に固着して、写真入れ用保持枠６ｂを形成する(図７,図８)。保持枠６ｂが図７のごとく縦断面視コ字状になって板状本体主部２,囲い塗膜６ａとで写真Ｐを収納保持できるスペースをつくる。矩形主板部６５で突出バー６７のない一辺側から、例えば赤ちゃんの写真Ｐを保持枠６ｂ内へ入れると、該保護枠に受け支えられて本体主部２(メモリアル収納製品１)の表面側から透明ガラス製本体主部２,開口６１を通して赤ちゃんの写真Ｐを見ることができる。符号６５ａは写真Ｐの取出し用切欠を示す。本体主部２の上縁寄り外面に確保された刻印８用スペースに、サンドブラスト加工により、赤ちゃんの生年月日の刻印８１,名前の刻印８２を入れ、前記凹部２５に赤ちゃんの体毛(毛髪９ｂ)を収納して飾れば、日々成長する赤ちゃんの誕生記念置物になる。
【００１９】
本実施形態は、凹部２５周りの本体主部表面２ａを本体主部２の前記一面２１とし、該一面に蓋部３の接合面３１を当接する。これに代え、図９のように凹部２５の底面部分２５ａから本体主部表面２ａに向かう側壁２５ｆの途中で、外方に広がる拡径段差面２０ａを形成して、該凹部２５の外径よりも本体主部表面２ａ側の外径を大きくくり抜いた拡径部２０を形成し、該拡径段差面２０ａに蓋部３の接合面３１を当接させることもできる。実施形態１と同様、本体主部２に蓋部３を接着固定することにより、拡径部２０周りの本体主部表面２ａと蓋部３の表面３ａが面一になるよう設定すれば、見栄えが良くなり一層好ましくなる。
図１０は図６に代わる他態様品で、気密空間Ｓと写真入れ６とを横並びにしたメモリアル収納製品を示す。ベース盤部３は二分割品にして、図６のものよりも小型化されている。
他の構成は実施形態１と同様で、その説明を省く。実施形態１と同一符号は同一又は相当部分を示す。
【００２０】
（３）実施形態３
本実施形態は図１０ごとくのメモリアル収納製品１で、本体主部２をガラスコップに適用したものである。図１０は(イ)が本体主部の斜視図、(ロ)が(イ)の裏面図、(ハ)が凹部の上面開口に蓋部で蓋をして気密空間を形成する説明分解正面図を示す。
本体主部２は、図示ごとくのガラスコップ形状で、ガラス底面２ｄ側から円形拡径部２０、さらに該拡径部２０内に外径が一回り小さい円形凹部２５の窪み穴を設け、底面部分２５ａが平らな凹部２５に毛髪９ｂ又はペットの毛９ａが収容されるようにする。平板片状の透明ガラス製蓋部３は、拡径部２０がつくる拡径段差面２０ａを一面２１とし、該一面２１に当接する接合面３１を形成した円板状体である。接合面３１と本体主部２の一面２１とを対向させて、蓋部３が接着剤５を介して本体主部２に接着固定することにより、凹部２５の上面開口２５０に蓋がされて気密空間Ｓを形成する。気密空間Ｓに毛髪９ｂ又はペットの毛９ａが空気遮断された状態で収容され、ガラスコップとしても使用できるメモリアル収納製品１となっている。符号２ｆはコップの収容側壁面、２ｇは飲み口、符号２ｈはコップ底を示す。他の構成は実施形態１と同様で、その説明を省く。実施形態１と同一符号は同一又は相当部分を示す。
【００２１】
（４）効果
このように構成したメモリアル収納製品１は、本体主部２に凹部２５を形成し、且つ平板片状の透明ガラス製蓋部３で、凹部２５の上面開口２５０に蓋がされて気密空間Ｓを形成して、気密空間Ｓ内の物を平板片状の透明ガラス製蓋部３を介して覗くので、通常のガラス窓を介して外を眺めるのと同様、気密空間Ｓ内の物をはっきりと見ることができる。該密封空間内に想い出として残しておきたい毛髪９ｂ又はペットの毛９ａが収納されると、鮮明に見ることができる。曲面形成によって光反射の関係から中の毛髪９ｂ又はペットの毛９ａが見え難くなるといった特許文献１の問題は解消する。ペットの毛９ａとして、図５のごとく鳥の羽毛(ダウン)のような細かいものであっても、蓋部３を通してその形,色を鮮やかにはっきりと観ることができる。そして、凹部２５の底面部分２５ａを平らにし、透明ガラス製本体主部２とすれば、鮮明に見ることのできる角度範囲が広がる。本体主部２の表面２ａ側からだけでなく、側面２ｃ側、さらに裏面２ｂ側からも密封空間に入れた毛髪９ｂ又はペットの毛９ａを視認できる。
また、本体主部２に蓋部３が接着固定することにより凹部２５の上面開口２５０に蓋をして気密空間Ｓが形成され、その気密空間Ｓに毛髪９ｂ又はペットの毛９ａが空気遮断された状態で収容されるので、想い出として残しておきたい毛髪９ｂ又はペットの毛９ａを、本来在ったありのままの姿で、且つその自然な風合いのまま見ることができる。特許文献１のように毛髪９ｂを封入用合成樹脂内に埋設して閉じ込めるのと違って、動きに固まった感じがなく、当人が生きていた時の身体の一部が、現実の空気のなかでそのままの姿,形で見ることができるので、リアル感を漂わせ商品価値を一層高める。且つ無機ガラスは空気を通さず、毛髪９ｂ又はペットの毛９ａは気密空間Ｓのなかで密封にして外気遮断状態にあるので、自然な姿で半永久保存できる。しかも、本メモリアル収納製品１は、毛髪６ｂ等を綺麗に且つ鮮明に外から見ることができるので、置物(図１,図６)やガラスコップ(図１０)の形態にできる。日常生活のなかでいつでも見られるようになっており、収納箱から取り出す手間,労苦を要しない。日常生活のなかでいつでも見られることによって、毛髪９ｂ(又はペットの毛９ａ)の当人との絆が強められていく。そして、毛髪９ｂ又はペットの毛９ａは自然な姿で半永久保存できることから、何かあったときにＤＮＡ鑑定で親子関係等の立証に役立つ。
【００２２】
加えて、拡径部２０の段差面２０ａが本体主部２の一面２１となって、該一面２１と接合面３１とを対向させ、本体主部２に蓋部３を接着固定することによって、拡径部２０周りの本体主部表面２ａと蓋部３の表面３ａが面一になるよう設定すると、メモリアル収納製品１としての外観見栄えが一層向上し、飾り置物として優れものになる。
また、本体主部２の外面に、サンドブラスト加工により、前記毛髪９ｂ又はペットの毛９ａに係る当人の名前の刻印８２と、当人の生年月日(又は命日)の刻印８１が設けられると、いつでも名前及び生年月日等を見ることとなり、心に当人への想いを深く刻むことができる。
さらに、ベース盤部４上に板状の本体主部２が起立一体化し、且つ該本体主部裏面２ｂに写真入れ用保持枠６ｂが固着されて、写真立て付き飾り置物になるメモリアル収納製品１であれば、当人の写真姿と一緒に、複合的な形で当人の一部たる毛髪９ｂ(又はペットの毛９ａ)といった本物の品を、それ自身がもつ自然な風合い,質感を実際の目で見て感じ取ることができるので、メモリアル収納製品１として商品価値が一段と向上する。
このように、本メモリアル収納製品１は、上述した数々の優れた効果を発揮し、自らが購入する商品としてだけでなくプレゼント用贈り物等としても非常に喜ばれる優れものとなる。
【００２３】
尚、本考案においては前記実施形態に示すものに限られず、目的,用途に応じて本考案の範囲で種々変更できる。本体主部２,蓋部３,ベース盤部４,写真入れ６,時計７,刻印８等の形状,大きさ,個数,材質等は用途に合わせて適宜選択できる。
【符号の説明】
【００２４】
１                メモリアル収納製品
２                本体主部
２ａ              本体主部の表面（本体主部表面）
２ｂ              本体主部の裏面（本体主部裏面）
２０              拡径部
２０ａ            拡径段差面
２１              一面
２５              凹部
２５ａ            底面部分
２５０            上面開口
３                蓋部
３ａ              蓋部の表面
３１              接合面
４                ベース盤部
５                接着剤
６ｂ              写真入れ用保持枠（保持枠）
８                刻印
８１              当人の生年月日（又は命日）の刻印
８２              当人の名前の刻印
９ａ              ペットの毛
９ｂ              毛髪
Ｓ                気密空間
【図１】
0003173223.tif 000003
【図２】
0003173223.tif 000004
【図３】
0003173223.tif 000005
【図４】
0003173223.tif 000006
【図６】
0003173223.tif 000007
【図７】
0003173223.tif 000008
【図８】
0003173223.tif 000009
【図９】
0003173223.tif 000010
【図１０】
0003173223.tif 000011
【図１１】
0003173223.tif 000012
【図５】
0003173223.tif 000013